(57)【要約】【課題】スプリッタを内蔵しても、外部のスプリッタを使用可能にすることができるスプリッタ内蔵通信装置を提供する。【解決手段】外部スプリッタ用端子２６として、ＡＤＳＬモデム３に外部スプリッタのＡＤＳＬ側を接続するためのＡＤＳＬ端子２６ａと、電話部４に外部スプリッタのＰＳＴＮ側を接続するための電話端子２６ｂとを設ける。ＡＤＳＬ端子２６ａおよび電話端子２６ｂは、内部のスプリッタ２のＡＤＳＬ側とＰＳＴＮ側とに接続される端子も有する。内部／外部切換コネクタ２７，２８をＡＤＳＬ端子２６ａおよび電話端子２６ｂに差込めば、内部のスプリッタ２とＡＤＳＬモデム３および電話部４とを接続し、内部のスプリッタ２を使用することができる。【選択図】　　　図４
2004135175.tif 000002
【特許請求の範囲】
【請求項１】
アナログ通信機能とデジタル通信機能とを備え、低周波信号であるアナログ信号と高周波信号であるデジタル信号とを分離するスプリッタを内蔵するスプリッタ内蔵通信装置であって、
内蔵スプリッタによって分離される高周波信号の伝送経路に接続され、デジタル信号を変復調するモデムと、
内蔵スプリッタによって分離される低周波信号の伝送経路に接続されるアナログ通信手段、または該アナログ通信手段を外部に接続するための通信機端子と、モデムによって変復調するデジタル信号を、外部のスプリッタの高周波信号用伝送経路に接続するための高周波信号端子と、
アナログ通信手段または該通信機端子を、該外部のスプリッタの低周波信号用伝送経路に接続するための低周波信号端子とを含むことを特徴とするスプリッタ内蔵通信装置。
【請求項２】
前記スプリッタは、電話通信用の加入者線にデジタル通信用の高周波信号を重畳して、電話通信と併存するデジタル加入者線を実現するｘＤＳＬ伝送システムで、前記高周波信号の伝送経路を電話通信用信号の伝送経路から分離し、
前記モデムは、内蔵スプリッタによって分離される高周波信号の伝送経路に接続され、
前記アナログ信号は、電話通信用信号であり、
前記アナログ通信手段は、電話通信機であることを特徴とする請求項１記載のスプリッタ内蔵通信装置。
【請求項３】
前記内蔵スプリッタと前記外部のスプリッタとを切換える切換手段をさらに含むことを特徴とする請求項１または２記載のスプリッタ内蔵通信装置。
【請求項４】
前記高周波信号端子は、前記内蔵スプリッタによって分離される高周波信号の前記モデムへの伝送経路の途中に、内蔵スプリッタとモデムとの接続を遮断するように設けられ、
前記低周波信号端子は、内蔵スプリッタによって分離される低周波信号の前記アナログ通信手段または前記通信機端子への伝送経路の途中に、内蔵スプリッタとアナログ通信手段または通信機端子との接続を遮断するように設けられ、
前記切換手段は、
該高周波信号端子に装着して、該高周波信号の伝送経路を内蔵スプリッタとモデムとの間で接続することが可能な高周波接続部材と、
該低周波信号端子に装着して、該低周波信号の伝送経路を内蔵スプリッタとアナログ通信手段または通信機端子との間で接続することが可能な低周波接続部材とを含むことを特徴とする請求項３記載のスプリッタ内蔵通信装置。
【請求項５】
前記切換手段は、
前記スプリッタの切換えのためのメニューを表示する表示手段と、
表示手段に表示されるメニューに基づく入力操作に従って、前記内蔵スプリッタまたは前記外部のスプリッタのいずれかを使用するように切換える制御手段とを含むことを特徴とする請求項３記載のスプリッタ内蔵通信装置。
【請求項６】
前記内蔵スプリッタを使用する場合と、前記外部のスプリッタを使用する場合とで、デジタル通信速度をそれぞれ取得する速度取得手段をさらに含み、
前記表示手段は、前記メニューの表示で、速度取得手段が取得するデジタル通信速度をそれぞれ表示することを特徴とする請求項５記載のスプリッタ内蔵通信装置。
【請求項７】
前記内蔵スプリッタを使用するか、前記外部のスプリッタを使用するかを、予め設定される条件に従って判断する判断手段をさらに含み、
前記切換手段は、判断手段による判断結果に従って、スプリッタの切換えを行うことを特徴とする請求項３記載のスプリッタ内蔵通信装置。
【請求項８】
前記内蔵スプリッタを使用する場合と、前記外部のスプリッタを使用する場合とで、デジタル通信速度をそれぞれ取得する速度取得手段をさらに含み、
前記判断手段は、前記内蔵スプリッタを使用するか、前記外部のスプリッタを使用するかの判断を、速度取得手段が取得するデジタル通信速度が速くなる条件に従って行うことを特徴とする請求項７記載のスプリッタ内蔵通信装置。
【請求項９】
前記デジタル通信の際に、前記内蔵スプリッタを使用したか、前記外部のスプリッタを使用したかを示す前回接続時使用スプリッタを、該デジタル通信の終了後も記憶しておくメモリをさらに含み、
前記判断手段は、メモリに記憶されている前回接続時使用スプリッタを使用するように判断することを特徴とする請求項７記載のスプリッタ内蔵通信装置。
【請求項１０】
前記アナログ通信手段として、発信時に発信先情報に基づいて前記アナログ通信用の低周波信号を用いて発呼するか、前記デジタル通信用の高周波信号を用いて発呼するかを判定する発呼判定手段をさらに含むことを特徴とする請求項１〜９のいずれかに記載のスプリッタ内蔵通信装置。
【発明の詳細な説明】
【０００１】
【発明の属する技術分野】
本発明は、公衆電話回線網の加入者回線に高周波信号を重畳させて高速データ通信を可能にするｘＤＳＬ伝送システムなどのスプリッタを内蔵するスプリッタ内蔵通信装置に関する。
【０００２】
【従来の技術】
従来から、インターネット等の円滑な利用に必要な高速データ通信を、一般に電話線と呼ばれる既設の加入者回線で可能にするため、ＤＳＬ（Ｄｉｇｉｔａｌ
Ｓｕｂｓｃｒｉｂｅｒ　Ｌｉｎｅ　）技術が開発されている。ＡＤＳＬ（Ａｓｙｍｍｅｔｒｉｃ　ＤＳＬ）は、ＤＳＬ技術として実用化されている中でも代表的なものである。ＡＤＳＬでは、従来の電話通信に使用さる４ｋＨｚ以下の周波数帯域とは異なる２５ｋ〜３０ｋＨｚ以上の周波数帯域を使用する。ＡＤＳＬの非対称性は、利用者からセンタへの上りのデータ伝送速度を１６ｋ〜１Ｍｂｐｓ程度とし、センタから利用者への下りのデータ伝送速度を１．５Ｍ〜１２Ｍｂｐｓ程度としている点にある。
【０００３】
ＤＳＬ技術は、ＡＤＳＬよりも高速なＶＤＳＬや、ＩＳＤＮ（Ｉｎｔｅｇｒａｔｅｄ
Ｓｅｒｖｉｃｅｓ　Ｄｉｇｉｔａｌ　Ｎｅｔｗｏｒｋ　）の加入者線を使用するＩＤＳＬなどとしても実現され、「ｘＤＳＬ」として包括的に表示される。ｘＤＳＬでは、スプリッタと呼ばれるフィルタで電話信号とデータ信号とを分離する。スプリッタで分離した電話信号を従来からの電話機などに接続すれば、従来の電話通信と全く同様に使用することができる。分離したデータ信号は、電話信号とは全く独立して利用することができる。すなわち、一般電話回線である従来の加入者回線にｘＤＳＬ技術を適用すれば、高速データ通信が可能なデジタル加入者線を比較的容易に実現することができる（たとえば、特許文献１参照）。
【０００４】
特許文献１に開示されているＡＤＳＬ通信システムでは、電話サービスと高速データ通信サービスをそれぞれ同一の電話線を用いて、かつ異なる周波数帯域で利用するために、スプリッタが設けられている。このシステムは、スプリッタをバイパスするバイパス線と、前記バイパス線を切り替える切替器と、交換機または電話機の状態から電話サービスが停止される状態を検出し、当該電話サービスが停止されているときに前記切替器を切り替えて前記バイパス線を導通状態とするコントローラとを備えることを特徴としており、周波数帯域の利用効率が向上する効果が示されている。
【０００５】
インターネットの利用は、インターネット経由で音声電話通信や、ファクシミリ画像通信を行うことにも及んでいる。電話通信では、音声をデジタルデータのパケットに変換して、インターネットを利用して転送する。インターネット上でのデータ転送は、基本的に無料で行われるので、低コストの通信が可能になる。電話通信をインターネットを介して行うプロトコルとしては、ＶｏＩＰ（Ｖｏｉｃｅｏｖｅｒ　Ｉｎｔｅｒｎｅｔ　Ｐｒｏｔｏｃｏｌ）が用いられる。ＶｏＩＰを用いるインターネット経由の電話通信は双方向のデータ転送を必要とするけれども、ＡＤＳＬの上りのデータ転送速度で充分であり、同一のＡＤＳＬ回線で複数の電話通信を行うこともできる。
【０００６】
図２０は、ＡＤＳＬとＶｏＩＰとを用いてインターネット経由の電話通信を行うＩＰ電話機１００の概略的な電気的構成を示す。ＩＰ電話機１００は、ＡＤＳＬライン接続端子１０１、スプリッタ１０２、ＡＤＳＬモデム１０３、電話部１０４およびハンドセット１０５を含む。ＡＤＳＬライン接続端子１０１には、一般電話回線のうち、公衆電話回線網の電話局側でもＡＤＳＬ化に必要な設備等が設けられているＡＤＳＬライン１０６を接続する。このような基本的な構成を有するＩＰ電話機１００に関する技術は、本件出願人から、たとえば特願２００２−２５５７８８号として出願している。
【０００７】
この出願で提案しているＩＰ電話機１００では、ＡＤＳＬライン１０６を伝送される信号を周波数分波して、ＡＤＳＬモデム１０３と、ハンドセット１０５が接続される電話部１０４とに割り当てるスプリッタ１０２を備える。発信時に発信先電話番号に基づいて、一般電話回線で発呼する場合は電話部１０４から内部のスプリッタ１０２を通してＡＤＳＬライン１０６へ信号が接続され、ＡＤＳＬ回線で発呼する場合は電話部１０４からＡＤＳＬモデム１０３および内部のスプリッタ１−２を通してＡＤＳＬライン１０６へ信号が接続される。インターネットを経由するデータ通信は、インターネット自体の利用が原則として無料であることから、長距離でも低コストで実行することができる。ＶｏＩＰを使用するインターネット経由の電話通信は、ＡＤＳＬの上りのデータ伝送速度でも充分可能であり、複数回線で利用することもできる。
【０００８】
図２０に示すように、ＡＤＳＬなどのｘＤＳＬでデジタル加入者線化した加入者回線に接続して従来の電話通信とＶｏＩＰ利用の電話通信とが可能な電話機に、ｘＤＳＬ伝送システムのスプリッタとｘＤＳＬモデムとを備えるようにすると、省スペース化、複雑なライン接続の省略がはかれるメリットがある。前述の本件出願人による特願２００２−２５５７８８号の出願に係るＩＰ電話機は、発信時に発信先電話番号に基づいて、一般電話回線で発呼するか、ｘＤＳＬ回線で発呼するかを自動的に判定して発呼するスプリッタ内蔵ｘＤＳＬ対応端末ＩＰ電話機となる。なお、スプリッタ回路をモジュールとして取り外し可能とする方法が示されている（たとえば、特許文献２参照。）。
【０００９】
図２１は、ＡＤＳＬ通信に用いるスプリッタに使用されるバランス型ローパスフィルタの構成の例を示す（たとえば、特許文献３参照。）。ＰＯＴＳ（ＰｌａｉｎＯｌｄ　Ｔｅｌｅｐｈｏｎｅ　Ｓｅｒｖｉｃｅ　）などとも呼ばれる一般電話回線の加入者回線は、一対の導電線を交互に捩って形成するツイストペア線が使用され、平衡状態で信号伝送を行うことが多い。バランス型ローパスフィルタは、データ通信用の高周波信号が重畳されているデジタル加入者線側から、公衆電話回線網に接続して使用する従来の電話通信用の低域信号を分離して、ＰＳＴＮ（Ｐｕｂｌｉｃ　Ｓｗｉｔｃｈｅｄ
Ｔｅｌｅｐｈｏｎｅ　Ｎｅｔｗｏｒｋ）側に取出すことができる。コイルＬ１，Ｌ２、コンデンサＣ１、コイルＬ３，Ｌ４およびコンデンサＣ２で４次のローパスフィルタが形成され、高域阻止の機能を果す。抵抗Ｒ２１、コイルＬ２１，Ｌ２２およびコンデンサ２１で構成する回路と、抵抗Ｒ２２、コイルＬ２３，Ｌ２４およびコンデンサ２２で構成する回路とは、ローパスフィルタの通過域の特性を平坦化させる等価器をそれぞれ形成する。ＡＤＳＬのスプリッタには、高周波信号を選択的に取出すハイパスフィルタも使用される。
【００１０】
【特許文献１】
特開平１１−３０８３５２号公報
【特許文献２】
特開平１１−３１７９６８号公報
【特許文献３】
特開２０００−１６５５５３号公報（図８）
【００１１】
【発明が解決しようとする課題】
図２０に示すような、スプリッタ内蔵ｘＤＳＬ対応端末としてのＩＰ電話機１００では、前述のような省スペース化や複雑なライン接続の省略が可能というメリットがある反面、スプリッタ１０２を内蔵することにより、必ずそのスプリッタ１０２を使用しなければならないという制約がある。ｘＤＳＬでは、使用する加入者回線の長さや使用環境、ＩＳＰ（インターネットサービスプロバイダ）側の使用機器などで、最高速度が得られるスプリッタ１０２の特性は変化しうる。スプリッタ１０２を内蔵して、内部スプリッタのみを使用するようにすると、スプリッタとＩＳＰとの相性にて、ｘＤＳＬ通信スピードのダウンや、ｘＤＳＬ接続ができない等の事態が発生する可能性があり、このような事態を避けるべき課題がある。
【００１２】
本発明の目的は、スプリッタを内蔵しても、外部のスプリッタを使用可能にすることができるスプリッタ内蔵通信装置を提供することである。
【００１３】
【課題を解決するための手段】
本発明は、アナログ通信機能とデジタル通信機能とを備え、低周波信号であるアナログ信号と高周波信号であるデジタル信号とを分離するスプリッタを内蔵するスプリッタ内蔵通信装置であって、
内蔵スプリッタによって分離される高周波信号の伝送経路に接続され、デジタル信号を変復調するモデムと、
内蔵スプリッタによって分離される低周波信号の伝送経路に接続されるアナログ通信手段、または該アナログ通信手段を外部に接続するための通信機端子と、モデムによって変復調するデジタル信号を、外部のスプリッタの高周波信号用伝送経路に接続するためのデジタル信号端子と、
アナログ通信手段または該通信機端子を、該外部のスプリッタの低周波信号用伝送経路に接続するためのアナログ信号端子とを含むことを特徴とするスプリッタ内蔵通信装置である。
【００１４】
本発明に従えば、アナログ通信機能とデジタル通信機能とを備え、低周波信号であるアナログ信号と高周波信号であるデジタル信号とを分離するスプリッタを内蔵するスプリッタ内蔵通信装置は、モデムと、アナログ通信手段または通信端子と、高周波信号端子と、低周波信号端子とを含む。モデムは、内蔵スプリッタによって分離される高周波信号の伝送経路に接続され、デジタル信号を変復調する。アナログ通信手段は、内蔵スプリッタによって分離されるアナログ通信用の低周波信号の伝送経路に接続される。そのようなアナログ通信手段は、通信機端子を介して外部に接続することもできる。高周波信号端子は、モデムによって変復調する高周波信号を、外部のスプリッタの高周波信号用伝送経路に接続するために設けられる。低周波信号端子は、アナログ通信手段または通信機端子を外部のスプリッタの低周波信号用伝送経路に接続するために設けられる。
【００１５】
本発明により、既存のアナログ通信用の伝送線に高周波のデジタル信号を重畳してデジタル通信にも使用可能にする伝送システムで、高周波信号のデジタル信号と低周波信号のアナログ信号とを分離するスプリッタとモデムを備えるスプリッタ内蔵通信装置において、内蔵されたスプリッタとデジタル信号を処理するサーバなどとの相性が悪いと、デジタル通信スピードのダウン、デジタル通信用の接続ができない等の事態が発生する課題を解決し、必要に応じて外部のスプリッタを使用すれば、どのサービス提供者のサーバでも本来のデジタル通信スピードにて接続することが可能となる。
【００１６】
また本発明で、前記スプリッタは、電話通信用の加入者線にデジタル通信用の高周波信号を重畳して、電話通信と併存するデジタル加入者線を実現するｘＤＳＬ伝送システムで、前記高周波信号の伝送経路を電話通信用信号の伝送経路から分離し、
前記モデムは、内蔵スプリッタによって分離される高周波信号の伝送経路に接続され、
前記アナログ信号は、電話通信用信号であり、
前記アナログ通信手段は、電話通信機であることを特徴とする。
【００１７】
本発明に従えば、スプリッタ内蔵通信装置は、スプリッタ内蔵通信装置は、ｘＤＳＬ伝送システムの高周波信号を重畳してデジタル加入者線となっている電話通信用の加入者線から、内蔵スプリッタによって分離される高周波信号をモデムで変復調し、内蔵されるアナログ通信手段としての電話通信機または通信端子を介して接続される外部の電話通信機でＶｏＩＰなどを用いるデジタル電話通信を行うことができる。内蔵スプリッタによって分離されるアナログ信号は、内蔵される電話通信機または通信端子を介して接続される外部の電話通信機で従来と同様な電話通信に使用することができる。高周波信号端子と低周波信号端子とを、外部のスプリッタで分離される高周波信号の伝送経路と低周波信号の伝送経路とにそれぞれ接続するようにすれば、外部のスプリッタを、内部のモデムと、内部の電話通信機または外部の電話通信機とに、それぞれ接続することができる。
【００１８】
本発明により、ｘＤＳＬ（デジタル加入者線）伝送システムのスプリッタとｘＤＳＬモデムを備えるスプリッタ内蔵ｘＤＳＬ対応端末ＩＰ電話機などのスプリッタ内蔵通信装置において、内蔵されたスプリッタとＩＳＰなどの相性にて、ｘＤＳＬ通信スピードのダウン、ｘＤＳＬ接続ができない等の事態が発生する課題を解決し、必要に応じて外部のスプリッタを使用すれば、どのＩＳＰでも本来のｘＤＳＬ通信スピードにて接続することが可能となる。
【００１９】
また本発明で、前記内蔵スプリッタと前記外部のスプリッタとを切換える切換手段をさらに含むことを特徴とする。
【００２０】
本発明に従えば、切換手段によって、内蔵スプリッタと外部のスプリッタとを切換えることができるので、使用するスプリッタの切換えを容易かつ確実に行うことができる。
【００２１】
また本発明で、前記高周波信号端子は、前記内蔵スプリッタによって分離される高周波信号の前記モデムへの伝送経路の途中に、内蔵スプリッタとモデムとの接続を遮断するように設けられ、
前記低周波信号端子は、内蔵スプリッタによって分離される低周波信号の前記アナログ通信手段または前記通信機端子への伝送経路の途中に、内蔵スプリッタとアナログ通信手段または通信機端子との接続を遮断するように設けられ、
前記切換手段は、
該高周波信号端子に装着して、該高周波信号の伝送経路を内蔵スプリッタとモデムとの間で接続することが可能な高周波接続部材と、
該低周波信号端子に装着して、該低周波信号の伝送経路を内蔵スプリッタとアナログ通信手段または通信機端子との間で接続することが可能な低周波接続部材とを含むことを特徴とする。
【００２２】
本発明に従えば、高周波信号端子および低周波信号端子は、内蔵スプリッタによって分離される高周波信号の前記モデムへの伝送経路の途中に、および低周波信号の前記アナログ通信端末または前記通信機端子への伝送経路の途中に、それぞれの伝送経路を遮断するように設けられる。高周波信号端子および低周波信号端子には、高周波接続部材および低周波接続部材をそれぞれ装着することができる。高周波接続部材は、高周波信号端子に装着して、該高周波信号の伝送経路を内蔵スプリッタとモデムとの間で接続することが可能である。低周波接続部材は、低周波信号端子に装着して、該低周波信号の伝送経路を内蔵スプリッタと電話通信機または通信機端子との間で接続することが可能である。高周波信号端子および低周波信号端子に、外部のスプリッタで分離される高周波信号の伝送経路および低周波信号の伝送経路をそれぞれ接続すれば、外部のスプリッタを使用することができる。
【００２３】
また本発明で、前記切換手段は、
前記スプリッタの切換えのためのメニューを表示する表示手段と、
表示手段に表示されるメニューに基づく入力操作に従って、前記内蔵スプリッタまたは前記外部のスプリッタのいずれかを使用するように切換える制御手段とを含むことを特徴とする。
【００２４】
本発明に従えば、表示手段にスプリッタを切換えるメニューを表示し、ユーザがメニューを見ながら内蔵スプリッタを使用するか、外部のスプリッタを使用するかを入力操作し、制御手段によって入力操作に応じたスプリッタの切換えを行わせることができる。
【００２５】
また本発明は、前記内蔵スプリッタを使用する場合と、前記外部のスプリッタを使用する場合とで、デジタル通信速度をそれぞれ取得する速度取得手段をさらに含み、
前記表示手段は、前記メニューの表示で、速度取得手段が取得するデジタル通信速度をそれぞれ表示することを特徴とする。
【００２６】
本発明に従えば、速度取得手段で内蔵スプリッタを使用する場合と外部のスプリッタを使用する場合とについてデジタル通信速度をそれぞれ取得し、表示手段に取得したデジタル通信速度を表示して、ユーザがスプリッタを選択する判断資料として提供することができる。
【００２７】
また本発明は、前記内蔵スプリッタを使用するか、前記外部のスプリッタを使用するかを、予め設定される条件に従って判断する判断手段をさらに含み、
前記切換手段は、判断手段による判断結果に従って、スプリッタの切換えを行うことを特徴とする。
【００２８】
本発明に従えば、判断手段によって、内蔵スプリッタを使用するか、外部のスプリッタを使用するかを、予め設定される条件に従って判断し、切換手段は判断手段の判断結果に従ってスプリッタの切換えを行うので、スプリッタの切換えを自動的に行うことができる。
【００２９】
また本発明は、前記内蔵スプリッタを使用する場合と、前記外部のスプリッタを使用する場合とで、デジタル通信速度をそれぞれ取得する速度取得手段をさらに含み、
前記判断手段は、前記内蔵スプリッタを使用するか、前記外部のスプリッタを使用するかの判断を、速度取得手段が取得するデジタル通信速度が速くなる条件に従って行うことを特徴とする。
【００３０】
本発明に従えば、速度取得手段で内蔵スプリッタを使用する場合と外部のスプリッタを使用する場合とについてデジタル通信速度をそれぞれ取得し、判断手段によって、内蔵スプリッタを使用するか、外部のスプリッタを使用するかを、デジタル通信速度が速くなる条件に従って判断し、高速のデジタル通信が行えるようなスプリッタの切換えを自動的に行うことができる。
【００３１】
また本発明は、前記デジタル通信の際に、前記内蔵スプリッタを使用したか、前記外部のスプリッタを使用したかを示す前回接続時使用スプリッタを、該デジタル通信の終了後も記憶しておくメモリをさらに含み、
前記判断手段は、メモリに記憶されている前回接続時使用スプリッタを使用するように判断することを特徴とする。
【００３２】
本発明に従えば、メモリに、前回接続時使用スプリッタを、デジタル通信の際に、内蔵スプリッタを使用したか、外部のスプリッタを使用したかに応じて、デジタル通信の終了後も記憶しておき、次にデジタル通信を行う際に、判断手段は、メモリに記憶されている前回接続時使用スプリッタを使用するように判断するので、前回接続時に使用したスプリッタを最初から使用することができる。
【００３３】
また本発明は、前記アナログ通信手段として、発信時に発信先情報に基づいて前記アナログ通信用の低周波信号を用いて発呼するか、前記デジタル通信用の高周波信号を用いて発呼するかを判定する発呼判定手段をさらに含むことを特徴とする。
【００３４】
本発明に従えば、発信時に電話番号などの発信先情報に基づいて、電話通信用などのアナログ信号低周波信号を用いて発呼するか、デジタル通信用の高周波信号を用いて発呼するかを判定手段によって判定して発呼するので、デジタル通信用の高周波信号を用いて発呼すると判定される場合、内蔵スプリッタと外部のスプリッタとのいずれかを用いて、高速かつ確実な信号の伝送を行うことができる。
【００３５】
【発明の実施の形態】
以下に、本発明に係わるスプリッタ内蔵ｘＤＳＬ対応端末としてのＩＰ電話機について、実施の各形態の構成を、図面を参照して説明する。複数の実施の形態で共通する部分には同一の参照符を付し、いずれかの実施の形態で説明して、他の実施の形態では重複する説明を省略している場合がある。
【００３６】
図１は、本発明の実施の第１形態としてのＩＰ電話機の概略的な電気的構成を示す。ＡＤＳＬライン接続端子１、スプリッタ２、ＡＤＳＬモデム３、電話部４およびハンドセット５は、基本的に図２０に示すＩＰ電話機１００のＡＤＳＬライン接続端子１０１、スプリッタ１０２、ＡＤＳＬモデム１０３、電話部１０４およびハンドセット１０５とそれぞれ同等である。本実施形態では、外部スプリッタ用端子６が設けられ、ＡＤＳＬ端子６ａおよび電話端子６ｂを含む。外部スプリッタ用端子６には、外部スプリッタ７を接続することができる。ＡＤＳＬ端子６ａは、外部スプリッタ７の高周波信号用伝送経路を接続するための高周波信号端子である。電話端子６ｂは、外部スプリッタ７の低周波信号用伝送経路を接続するための低周波信号端子である。外部スプリッタ７の加入者線側伝送経路、またはＡＤＳＬライン接続端子１には、図２０のＡＤＳＬライン１０６と同等のＡＤＳＬライン８を接続することができる。すなわち、本実施形態のＩＰ電話機９では、外部スプリッタ用端子６が設けられることが、図２０に示すようなスプリッタ１０２内蔵のＩＰ電話機１と異なっている。
【００３７】
本実施形態では、ＡＤＳＬライン８を伝送される信号を周波数分波して、ＡＤＳＬモデム３とハンドセット５とが接続される電話部４に割り当てる内部のスプリッタ２と、外部スプリッタ用端子６とを備える。内蔵された内部スプリッタ２とＩＳＰなどの相性にて、ＡＤＳＬなどのｘＤＳＬ通信スピードのダウンや、ｘＤＳＬ接続ができない等の事態が発生した場合には、ＡＤＳＬ端子６ａおよび電話端子６ｂを外部スプリッタ７のＡＤＳＬ側とＰＳＴＮ側とにそれぞれ接続し、発信時に発信先電話番号に基づいて、一般電話回線で発呼する場合は電話部４から外部スプリッタ用端子６の電話端子６ｂおよび外部スプリッタ７を通して、ＡＤＳＬライン８へ信号が接続される。ＡＤＳＬ回線で発呼する場合は、電話部４からＡＤＳＬモデム３、外部スプリッタ用端子６のＡＤＳＬ端子６ａ、および外部スプリッタ７を通してＡＤＳＬライン８へ信号が接続される。
【００３８】
図２は、本発明の実施の第２形態としてのＩＰ電話機１０の概略的な電気的構成を示す。本実施形態のＩＰ電話機１０では、切換スイッチ１１，１２を設け、内蔵しているスプリッタ２と外部スプリッタ７とを切換えることができる。すなわち、ＩＰ電話機１０は、ＡＤＳＬライン８を伝送される信号を周波数分波してＡＤＳＬモデム３とハンドセット５が接続される電話部４とに割り当てる内部のスプリッタ２、外部スプリッタ用端子６、および内部スプリッタ／外部スプリッタ切換用の切換スイッチ１１，１２を備え、外部スプリッタ７を接続した状態で、内蔵されたスプリッタ２とＩＳＰの相性にて、ＡＤＳＬ通信スピードのダウン、ＡＤＳＬ接続ができない等の事態が発生した場合には、切換スイッチ１１，１２をユーザなどが操作して外部スプリッタ７を選択する。
【００３９】
発信時に発信先電話番号に基づいて、一般電話回線で発呼する場合は、電話部４から外部スプリッタ用端子６の電話端子６ｂ、および外部スプリッタ７を通してＡＤＳＬライン８へ信号が接続される。ＡＤＳＬ回線で発呼する場合は、電話部４からＡＤＳＬモデム３、外部スプリッタ用端子６のＡＤＳＬ端子６ａ、および外部スプリッタ７を通してＡＤＳＬライン８へ信号が接続される。また、内部のスプリッタ２にて本来のＡＤＳＬ通信スピードが確保できる場合には、内部スプリッタ／外部スプリッタを切換える切換スイッチ１１，１２で内部のスプリッタ２を選択する。発信時に発信先電話番号に基づいて、一般電話回線で発呼する場合は、電話部４から内部のスプリッタ２およびＡＤＳＬライン接続端子１を通してＡＤＳＬライン８へ信号が接続される。ＡＤＳＬ回線で発呼する場合は、電話部４からＡＤＳＬモデム３、内部のスプリッタ２、およびＡＤＳＬライン接続端子１を通してＡＤＳＬライン８へ信号が接続される。このような切換え状態は、一例であり、外部スプリッタ７を接続していない状態でも、上記手段は同様に使用可能である。
【００４０】
図３は、本発明の実施の第３形態としてのＩＰ電話機２０の概略的な電気的構成を示す。本実施形態では、電子的に切換を行ったり、リレーなどで電磁的に切換を行うことができる切換スイッチ素子２１，２２を設け、電話部２４で切換えを制御することができる。すなわち、ＩＰ電話機２０は、ＡＤＳＬライン８を伝送される信号を周波数分波して、ＡＤＳＬモデム３とハンドセット５が接続される電話部２４とに割り当てる内部のスプリッタ２、外部スプリッタ用端子６、電話部２４から制御することができる内部スプリッタ／外部スプリッタ切換手段としての切換スイッチ素子２１，２２を備える。
【００４１】
外部スプリッタ７を接続した状態で、内蔵された内部のスプリッタ２とＩＳＰの相性にて、ＡＤＳＬ通信スピードのダウンやＡＤＳＬ接続ができない等の事態が発生した場合には、自動で電話部２４から信号を切換スイッチ素子２１，２２に送り、外部スプリッタ７を選択することができる。外部スプリッタ７に切換えると、発信時に発信先電話番号に基づいて、一般電話回線で発呼する場合は、電話部２４から外部スプリッタ用端子６の電話端子６ｂ、および外部スプリッタ７を通してＡＤＳＬライン８へ信号が接続される。ＡＤＳＬ回線で発呼する場合は、電話部２４からＡＤＳＬモデム３、外部スプリッタ用端子６のＡＤＳＬ端子６ａ、および外部スプリッタ７を通してＡＤＳＬライン８へ信号が接続される。
【００４２】
また、内部のスプリッタ２にて本来のＡＤＳＬ通信スピードが確保できる場合には、自動で電話部２４から信号を内部スプリッタ／外部スプリッタの切換手段としての切換スイッチ素子２１，２２に送り、内部のスプリッタ２を選択する。発信時に発信先電話番号に基づいて、一般電話回線で発呼する場合は、電話部２４から内部のスプリッタ２、およびＡＤＳＬライン接続端子１を通してＡＤＳＬライン８へ信号が接続される。ＡＤＳＬ回線で発呼する場合は、電話部２４からＡＤＳＬモデム３、内部のスプリッタ２、およびＡＤＳＬライン接続端子１を通してＡＤＳＬライン８へ信号が接続される。このような切換状態は一例であり、外部スプリッタ７を接続していない状態でも、上記手段は同様に使用可能である。
【００４３】
図４は、本発明の実施の第４形態としてのＩＰ電話機３０の概略的な構成を示す。本実施形態では、外部スプリッタ用端子２６に切換手段としての機能を持たせている。すなわち、ＩＰ電話機３０は、ＡＤＳＬラインを伝送される信号を周波数分波して、ＡＤＳＬモデム３とハンドセット５が接続される電話部４とに割り当てる内部のスプリッタ２を備える。外部スプリッタ用端子２６には、ＡＤＳＬ端子２６ａおよび電話端子２６ｂが含まれる。外部スプリッタ用端子２６は、外部のスプリッタに接続するために使用するとともに、内部／外部切換コネクタ２７，２８をＡＤＳＬ端子２６ａおよび電話端子２６ｂにそれぞれ接続することによって、内部のスプリッタ２の使用が可能になる。
【００４４】
すなわち、ＩＰ電話機３０では、ＡＳＤＬラインを伝送される信号を周波数分波する内部のスプリッタ２からの信号、もしくは外部スプリッタからの信号をＡＤＳＬモデム３と、ハンドセット５が接続される電話部４とに切換えて接続可能とするために、外部スプリッタ用端子２６を備える。内部のスプリッタ２にて本来のＡＤＳＬ通信スピードが確保できる場合には、内部／外部切換コネクタ２７，２８を外部スプリッタ用端子２６のＡＤＳＬ端子２６ａおよび電話端子２６ｂにそれぞれ差し込むことにより、内部のスプリッタ２を選択することができる。発信時に発信先電話番号に基づいて、一般電話回線で発呼する場合は、電話部４から、外部スプリッタ用端子２６の電話端子２６ｂ、内部／外部切換コネクタ２８、内部のスプリッタ２、およびＡＤＳＬライン接続端子１を通してＡＤＳＬラインへ信号が接続される。ＡＤＳＬ回線で発呼する場合は、電話部４からＡＤＳＬモデム３、外部スプリッタ用端子２６のＡＤＳＬ端子２６ａ、内部／外部切換コネクタ２７、内部のスプリッタ２、およびＡＤＳＬライン接続端子１を通してＡＤＳＬラインへ信号が接続される。
【００４５】
内蔵された内部のスプリッタ２とＩＳＰの相性にて、ＡＤＳＬ通信スピードのダウンやＡＤＳＬ接続ができない等の事態が発生した場合には、外部スプリッタ用端子２６に外部スプリッタを接続することにより、ＡＤＳＬ通信状態を改善することができる。発信時に発信先電話番号に基づいて、一般電話回線で発呼する場合は、電話部４から外部スプリッタ用端子２６の電話端子２６ｂ、外部スプリッタを通してＡＤＳＬライン８へ信号を接続する。ＡＤＳＬ回線で発呼する場合は、電話部４からＡＤＳＬモデム３、外部スプリッタ用端子２６のＡＤＳＬ端子２６ａ、外部スプリッタを通してＡＤＳＬラインへ信号を接続する。
【００４６】
図５は、図４のＩＰ電話機３０の外部スプリッタ用端子２６および内部／外部切換コネクタ２７，２８を用いて、内部のスプリッタ２と外部スプリッタ７とを切換える方法を示す。外部スプリッタ用端子２６に含まれるＡＤＳＬ端子２６ａおよび電話端子２６ｂは、たとえば４線式の電話線接続端子のジャックであり、ＡＤＳＬモデム３と電話部４とには、内側の２つの端子をそれぞれ接続する。ＡＤＳＬ端子２６ａおよび電話端子２６ｂの外側の２つの端子は、内蔵しているスプリッタ２のＡＤＳＬ側と電話側とにそれぞれ接続する。このような接続状態では、内蔵しているスプリッタ２のＡＤＳＬ側からのＡＤＳＬ高周波信号の伝送経路は、ＡＤＳＬ端子２６ａの外側と内側との端子間で遮断されている。また、スプリッタ２の電話側からのＰＳＴＮ電話通信用信号の伝送経路は、電話端子２６ｂの外側と内側との端子間で遮断されている。
【００４７】
内部／外部切換コネクタ２７，２８は、ＡＤＳＬ端子２６ａおよび電話端子２６ｂで遮断されている外側と内側との端子間をそれぞれ導通させるようなショートピン２７ａ，２７ｂ；２８ａ，２８ｂを備えている。したがって、内部／外部切換コネクタ２７，２８をＡＤＳＬ端子２６ａおよび電話端子２６ｂにそれぞれ挿入すれば、高周波信号および電話通信用信号の伝送経路を、内部のスプリッタ２とＡＤＳＬモデム３および電話部４との間でそれぞれ導通させ、スプリッタ２を使用することができる。外部スプリッタ７からの接続用コネクタ２９ａ，２９ｂをＡＤＳＬ端子２６ａおよび電話端子２６ｂにそれぞれ装着する。外部スプリッタ７のＡＤＳＬ側の接続用コネクタ２９ａは、ＡＤＳＬ端子２６ａの内側の２つの端子のみに接続する。外部スプリッタ７の電話側の接続用コネクタ２９ｂは、電話端子２６ａの内側の２つの端子のみに接続する。これによって、内部のスプリッタ２は切離され、ＡＤＳＬモデム３および電話部４には、外部スプリッタ７を接続することができる。
【００４８】
図６は、図４などに示す電話部４の概略的な電気的構成を示す。電話部４は、回線捕捉回路３１、スピーチネットワーク３２、切換回路３３、スピーカ３５、ダイヤル回路３６、着信検出回路３７、発信者電話番号受信回路３８、メモリ３９、表示部４０、ＶｏＩＰ使用可能ＬＥＤ４１、ＰＳＴＮ　ＬＥＤ４２、ＶｏＩＰ　ＬＥＤ４３、操作パネル４４、ＤＳＰ４５、音声メモリ４８、留守録ＤＳＰ４９、無線機５０、アンテナ５１、および制御部６０を含む。制御部６０は、電話制御部６１、データ処理制御部６２、表示制御部６３、操作検出部６４、使用回線判定部６５、ＶｏＩＰ制御部６６、ＤＳＰ制御部６７、ＡＤＳＬ制御部６８および無線制御部６９を含む。
【００４９】
回線捕捉回路３１は、ダイヤル回路３６からの信号によってＰＳＴＮの加入者回線を閉結したり開放したりし、またその状態を信号で電話制御部６１に与えることができる。スピーチネットワーク３２は、ＰＳＴＮの加入者回線からの受話信号を切換回路３３に送るとともに、切換回路３３からの送話信号を公衆電話回線網に送出したり、ダイヤル回路３６が発信したＤＴＭＦ（Ｄｕａｌ　Ｔｏｎｅ　Ｍｕｌｔｉ
Ｆｒｅｑｕｅｎｃｙ）信号を、ＰＳＴＮの加入者回線に送出するために回線捕捉回路３１に送る。切換回路３３は、電話制御部６１からの制御信号に応じて、スピーチネットワーク３２およびハンドセット５から音声信号を入力し、またスピーチネットワーク３２、ハンドセット５およびスピーカ３５へ音声信号を出力するように信号経路の接続を切換える。ダイヤル回路３６は、回線捕捉回路３１を開閉させてダイヤルパルスを発生させたり、ＤＴＭＦ信号をスピーチネットワーク３２に出力したりして、ＰＳＴＮの加入者回線に送出する。
【００５０】
着信検出回路３７は、ＰＳＴＮの加入者回線から到来するＣＡＲ信号やＩＲ信号を検出し、電話制御部６１に信号を与える。ここでＣＡＲ信号とは、発信者電話番号通知サービスで発信者の電話番号を通知してくる前に送られて来る信号であり、電話機はこれを受信すると回線を捕捉し発信者の電話番号を受信する。また、ＩＲ信号とは着信鳴動信号であり、通常、電話機はこれを受信するとスピーカから呼出音を鳴らす。
【００５１】
発信者電話番号受信回路３８は、ＰＳＴＮの加入者回線から送られてくる発信電話番号等の情報を受信復調し、発信者識別情報となる発信者電話番号を取得する。メモリ３９は、発信記録や着信記録のデータ、留守応答時に受信した発信者電話番号とその使用された回線が何かを示す情報などを記憶する。
【００５２】
ＩＰ電話機３０の電話部４は、表示手段として、ＬＣＤ（液晶表示装置）による表示部４０と、ＬＥＤ（発光ダイオード）によるＶｏＩＰ使用可能ＬＥＤ４１、ＰＳＴＮ　ＬＥＤ４２およびＶｏＩＰ　ＬＥＤ４３を含む。表示部４０は文字列やピクトグラムで情報を表示する。ＶｏＩＰ使用可能ＬＥＤ４１は、ＶｏＩＰ電話通信が可能な時に点灯する。ＰＳＴＮ　ＬＥＤ４２は、ＰＳＴＮ回線を使用して電話の発着信が行われたときに点灯する。ＶｏＩＰ　ＬＥＤ４３は、ＡＤＳＬ回線を使用してＶｏＩＰ電話の発着信が行われた時に点灯する。これらの表示手段は、ＩＰ電話機３０を操作するための操作パネル４４に設けられている。
【００５３】
ＤＳＰ（Ｄｉｇｉｔａｌ　Ｓｉｇｎａｌ　Ｐｒｏｃｅｓｓｏｒ）４５は、ＡＤＳＬ回線から送られてきたデジタル音声をアナログ音声に変換したり、ハンドセット５の受話器で拾ったアナログ音声をデジタル音声に変換したりする信号処理を行う。ＡＤＳＬモデム３は、ＡＤＳＬ回線を使って送受信を行うためにデジタル信号を変復調する。スプリッタ２は、ＰＳＴＮ回線の信号とＡＤＳＬ回線の信号を一つにまとめてデジタル加入者線としてのＡＤＳＬライン８に流したり、電話局からＡＤＳＬライン８を介して送られてくる信号をＰＳＴＮ回線の信号とＡＤＳＬ回線の信号とに分離したりすることができる。
【００５４】
さらに、ＩＰ電話機３０には、留守録機能を実現するために、留守用件を記録する音声メモリ４８と、留守用件をデジタルで記録したり再生したりする留守用件用ＤＳＰ４９とが設けられている。
【００５５】
無線機５０は、アンテナ５１を介して１または複数の子機と無線電波で接続する。赤外線や有線で接続するようにしてもよい。子機も、親機となるＩＰ電話機３０を介してＰＳＴＮ回線とＡＤＳＬ回線とを利用して通信を行うことができる。また親機と子機とは、ＰＳＴＮ回線とＡＤＳＬ回線とのうちの一方と他方とを使用して、同時に通信することもできる。さらに、ＡＤＳＬ回線では、複数の電話通信用の回線を設定することも可能であり、親機と子機、または複数の子機が同時に電話通信を行うことができる。
【００５６】
ＩＰ電話機３０の動作は、制御部６０によって制御する。電話制御部６１は、電話をかけたり、受けたり、ダイヤルしたり、留守応答動作をしたりする動作を制御する。データ処理制御部６２は、メモリ３９に発信者電話番号等のデータを書き込んだり、閲覧手段として読み込んだりする制御を行う。表示制御部６３は、表示部４０に各種の情報を表示する制御を行う。操作検出部６４は、操作パネル４４を監視し、操作が行われると電話制御部６１に操作に対応する信号を与える。使用回線判定部６５は、電話制御部６１から送られてきた電話番号についてどちらの回線を使用するかを判定し、結果を電話制御部６１に返す判定手段として機能する。ＶｏＩＰ制御部６６は、ＶｏＩＰ電話を行うための呼制御や、ＰＰＰ（Ｐｏｉｎｔ−ｔｏ−Ｐｏｉｎｔ　Ｐｒｏｔｏｃｏｌ　）セッションの確立、ＶｏＩＰサーバとの認証を行う。ＤＳＰ制御部６７は、ＤＳＰ４５を制御する。ＡＤＳＬ制御部６８は、ＡＤＳＬモデム４６を制御する。無線制御部６９は、無線機５０を制御する。
【００５７】
ＡＤＳＬライン８を使用してＶｏＩＰ電話通信を行うためには、ＩＳＰが開設するＢＡＳ（Ｂｒｏａｄｂａｎｄ　Ａｃｃｅｓｓ　Ｓｅｒｖｅｒ　）を介してインターネットに接続する必要がある。ＶｏＩＰ制御部６６は、ＶｏＩＰ使用可能ＬＥＤ４１を制御して、ＶｏＩＰ電話通信が可能であるか否かを表示する。ＶｏＩＰ通信を可能とするためには、ＡＤＳＬコネクションが物理的に接続され、ＢＡＳまでのＰＰＰセッションが確立し、ＶｏＩＰサーバの認証が取れていることが必要である。
【００５８】
図７、図８および図９は、図４のＩＰ電話機３０の外観の一例を示す。本発明の実施の他の形態でも、同様な外観構成でスプリッタ内蔵通信装置を実現することができる。図７は、図４のＩＰ電話機３０の正面側で、操作パネル４４の表面に垂直な方向から見た外観構成を示す。図８は、ＩＰ電話機３０の背面側で、背面側の表面に垂直な方向から見た外観構成を示す。図９は、左側面側から見た外観構成を示す。図９に示すように、ＩＰ電話機３０では、表面側の操作パネル４４および背面側の表面は、それぞれ傾斜面となっている。
【００５９】
ＩＰ電話機３０は、内蔵するスプリッタ２やＡＤＳＬモデム３を利用して、パソコン等に対する通信用周辺機器としてのルータとして動作するための構成も含む。その動作状態を表示するため、図７に示すような電源表示用の「ＰＯＷＥＲ」、ＡＤＳＬコネクション表示用の「ＡＤＳＬ」、ＰＰＰセッション確立表示用の「ＰＰＰ」、無線ＬＡＮ表示用の「ＷＩＲＥＬＥＳＳ」およびＬＡＮ表示用の「ＬＡＮ」などのＬＥＤが設けられている。
【００６０】
図８に示すように、背面側には、「回線」と表示されているＡＤＳＬライン接続端子１、「電話」と表示されている電話端子２６ｂ、「ＡＤＳＬ」と表示されているＡＤＳＬ端子２６ａ、「増設電話」と表示されている電話増設用の端子が設けられている。電話増設用の端子は、ＩＰ電話機３０内のＰＳＴＮ回線に接続されており、従来からの電話機や、ファクシミリ装置など、外部の電話通信装置を接続することができる。図１〜図３の実施形態で使用するＡＤＳＬ端子６ａおよび電話端子６ｂとして、図に示すようなＡＤＳＬ端子２６ａおよび電話端子２６ｂを使用することもできる。
【００６１】
前述のように、ＡＤＳＬ端子２６ａおよび電話端子２６ｂは、４線式の電話線接続端子のジャックを使用している。ＡＤＳＬライン接続端子１にも同一形式の４線式の電話線接続端子のジャックを使用すれば、内部／外部切換コネクタ２７，２８は、４千式の電話線接続端子のプラグを使用して、ＡＤＳＬライン接続端子１にも装着可能となる。外部スプリッタ７を使用する場合、ＡＤＳＬ端子２６ａおよび電話端子２６ｂから内部／外部切換コネクタ２７，２８を外しておく必要がある。この場合、ＡＤＳＬライン接続端子１にＡＤＳＬライン８を接続する必要はないので、内部／外部切換コネクタ２７，２８の一方をＡＤＳＬ接続端子１に装着しておくことができる。内部／外部切換コネクタ２７，２８の一方と他方との間をひもなどで結びつけておけば、紛失などのおそれを低減することができる。
【００６２】
「増設電話」の端子も同一形式の４線式電話線接続端子のジャックを使用し、ＡＤＳＬライン接続端子１と隣接させ、その間の間隔を、ＡＤＳＬ端子２６ａと電話端子２６ｂとの間の間隔と同じになるようにすることもできる。この場合に、一対の内部／外部切換コネクタ２７，２８をその間隔を保つ状態で一体化し、ＡＤＳＬ端子２６ａおよび電話端子２６ｂ側に装着すれば内部のスプリッタ２が使用可能になり、ＡＤＳＬライン接続端子１および「増設電話」の端子側に装着すれば外部スプリッタ７を外部スプリッタ用端子２６に接続可能になる。
【００６３】
図１０は、本発明の実施の第５形態としてのＩＰ電話機７０の概略的な電気的構成を示す。本実施形態のＩＰ電話機７０では、切換スイッチ素子２１，２２を切換えて、内部のスプリッタ２と外部スプリッタ７とを切換えるための指示を、ユーザから受けるために、操作部７１および表示部７２を備える。操作部７１への入力操作は、電話部７４に入力される。電話部７４は、表示部７２への表示制御や、切換スイッチ２１，２２の切換え制御を行う。操作部７１および表示部７２としては、図７に示すような操作パネル４４および表示部４０を、それぞれ用いることができる。
【００６４】
図１１は、表示部７２でスプリッタの設定操作用の表示を行っている例を示す。図１１（ａ）は内蔵のスプリッタ２を選択している状態を示し、図１１（ｂ）は外付の外部スプリッタ７を選択している状態を示す。図７に示すような操作パネル４４を使用するときは、機能ボタンなどを用いて入力操作を行う。選択状態にあるスプリッタは、たとえば背景と反転した状態の白抜き文字で表示される。
【００６５】
すなわち、選択されたスプリッタは白抜きに表示し、操作部７１からの操作により白抜きされる文字が「内蔵」と「外付」との間でトグルするようになる。また、選択されたスプリッタを表示するのに白抜きするのは一実施例であり、他にも四角で囲む、矢印にて指示する、下線にする、文字色を変える等で両方のスプリッタを表示して選択されていることを表示したり、選択されたスプリッタのみ表示する等の方法もある。
【００６６】
本実施形態のＩＰ電話機７０は、ＡＤＳＬライン８を伝送される信号を周波数分波して、ＡＤＳＬモデム３と、ハンドセット５や表示部７２、操作部７１が接続される電話部７４とに割り当てる内部のスプリッタ２、外部スプリッタ用端子６、および電話部７４から制御することが可能な切換スイッチ素子２１，２２を備え、外部スプリッタ６を接続した状態で、内蔵されている内部のスプリッタ２と外部スプリッタ７とのいずれを選択するかを表示部７２に表示し、操作部７１からの指示に基づき電話部７４から信号を切換スイッチ素子２１，２２に送る。これにより内蔵されたスプリッタ２とＩＳＰの相性にて、ＡＳＤＬ通信スピードのダウンやＡＤＳＬ接続ができない等の事態が発生した場合でも、ユーザが外部スプリッタ７を選択し、電話部７４が信号を内部スプリッタ／外部スプリッタ切換えのための切換スイッチ素子２１，２２に送り、外部スプリッタ７を選択することができる。
【００６７】
発信時に発信先電話番号に基づいて、一般電話回線で発呼する場合は、電話部７４から外部スプリッタ用端子６の電話端子６ｂ、および外部スプリッタ７を通してＡＤＳＬライン８へ信号が接続される。ＡＤＳＬ回線で発呼する場合は、電話部７４からＡＤＳＬモデム３、外部スプリッタ用端子６のＡＤＳＬ端子６ａ、および外部スプリッタ７を通してＡＳＤＬライン８へ信号が接続される。このような接続状態は一例であり、外部スプリッタ７を接続していない状態でも、上記手段は可能である。
【００６８】
図１２は、本発明の実施の第６形態としてのＩＰ電話機７５の概略的な電気的構成を示す。本実施形態のＩＰ電話機７５では、切換スイッチ素子２１，２２を切換えて、内部のスプリッタ２と外部スプリッタ７とを切換えるための指示を、ユーザから受けるために、操作部７６および表示部７７を備える。操作部７６への入力操作は、電話部７８に入力される。電話部７８は、表示部７７への表示制御や、切換スイッチ２１，２２の切換え制御を行う。操作部７６および表示部７７としては、図１１の操作部７１および表示部７２と同様に、図７に示すような操作パネル４４および表示部４０を、それぞれ用いることができる。
【００６９】
図１３は、図１２のＩＰ電話機７５で電話部７８がスプリッタの切換えのために行う制御の手順を示す。ステップａ０で電源ＯＮとなると、制御手順が開始される。ステップａ１では、内部のスプリッタ２を使用するように、切換スイッチ素子２１，２２を切換える。ステップａ２では内部のスプリッタ２を使用して通信速度を測定する。電話部７８は、速度取得手段として、たとえばインターネット上の特定のサイトからファイルをダウンロードして、通信速度を測定する。特定のサイトで速度を変えながらデータを送出するサービスを提供しているような場合は、そのサイトにアクセスしてデータを受信し、受信可能であったデータの送出速度から通信速度を知ることもできる。ステップａ３では、外部スプリッタ７を使用するように、切換スイッチ素子２１，２２を切換える。ステップａ４では外部スプリッタ７を使用して、ステップａ２と同様に、通信速度を測定する。ステップａ５およびステップａ６では、表示部７７に内部のスプリッタ２および外部スプリッタ７で測定された通信速度をそれぞれ表示する。ステップａ７では、操作部７６に対するユーザの選択が内部のスプリッタ２に対するものであるか否かを判断する。内部のスプリッタ２を選択していればステップａ８で切換スイッチ素子２１，２２を内部のスプリッタ２側に切換える。ステップａ７で、内部のスプリッタ２が選択されていないと判断するときは、ステップａ９で外部スプリッタ７を使用するように、切換スイッチ素子２１，２２を切換える。
【００７０】
図１４は、図１３のステップａ５およびａ６で、通信速度表示を行っている状態を示す。図１４（ａ）は内部のスプリッタ２を選択している状態、図１４（ｂ）は、外付けとなる外部スプリッタ７を選択している状態をそれぞれ示す。ユーザは、内部のスプリッタ２と外部スプリッタ７とのうち、通信速度が速い方を選択することができる。ユーザは、通信速度を知ることができるので、外部スプリッタ７でもあまり通信速度が向上しないような場合は、さらに外部スプリッタ７を交換することも検討することができる。選択されたスプリッタは、たとえば白抜きに表示し、操作部７６からの操作により白抜きされる文字が「内蔵」と「外付」とをトグルするようになる。また、選択されたスプリッタを表示するのに白抜きするのは一例であり、他にも四角で囲む、矢印にて指示する、下線にする、文字色を変える、選択されたスプリッタのみ表示する等の方法もある。
【００７１】
すなわち、本実施形態では、図１２に示すように、ＩＰ電話機７５に、ＡＤＳＬライン８を伝送される信号を周波数分波して、ＡＤＳＬモデム３と、ハンドセット５、表示部７７および操作部７６が接続される電話部７８とに割り当てる内部のスプリッタ２、外部スプリッタ用端子６、および電話部７８から制御することができる内部スプリッタ／外部スプリッタ切換えのための切換スイッチ素子２１，２２を備える。外部スプリッタ７を接続している状態で、図１３のステップａ０の電源ＯＮ時に、内蔵されたスプリッタ２を選択するように、ステップａ１で電話部７８から信号を内部スプリッタ／外部スプリッタを切換える切換スイッチ素子２１，２２に送る。ステップａ２で電話部７８は、ＡＤＳＬモデム３、内部のスプリッタ２、およびＡＤＳＬライン接続端子１を通してＡＤＳＬライン８へ信号を送受信し、ＡＤＳＬ通信速度を測定する。次にステップａ３で、外部スプリッタ７を選択するように、電話部７８から信号を内部スプリッタ／外部スプリッタを切換える切換スイッチ素子２１，２２に送り、ステップａ４で、電話部７８から、ＡＤＳＬモデム３、外部スプリッタ用端子６のＡＤＳＬ端子６ａ、および外部スプリッタ７を通してＡＤＳＬライン８へ信号を送受信し、ＡＤＳＬ通信速度を測定する。次にステップａ５，ａ６で、内部のスプリッタ２と外部スプリッタ７とのうち、どちらを選択するかを、内部のスプリッタ２と外部スプリッタ７とをそれぞれを使用した時のＡＤＳＬ通信速度を表示部７７に図１４のように表示し、ユーザの選択を待つ。ステップａ７での操作部７６からの指示に基づき、ステップａ８，ａ９で電話部７８から信号を内部スプリッタ／外部スプリッタを切換えるように、切換スイッチ素子２１，２２に送る。これにより内蔵されたスプリッタ２および外部スプリッタ７とＩＳＰとの相性が分かり、ユーザは適正なスプリッタを選択し、ＡＤＳＬラインに接続することができる。
【００７２】
以上で説明している内容は本実施形態で可能となる動作の一例であり、外部スプリッタ７を接続していない状態でも上記手段は可能である。たとえば、外部スプリッタ７を接続していない状態で内部のスプリッタ２の通信速度を表示させ、充分な通信速度が出ていないときに、外部スプリッタ７の付加を検討することができる。外部スプリッタ７を複数種類候補として選択可能であれば、各候補を実際に接続して通信速度を表示させ、最適な候補を選択することもできる。
【００７３】
図１５は、本発明の実施の第７形態としてのＩＰ電話機８０の概略的な電気的構成を示す。本実施形態のＩＰ電話機８０では、切換スイッチ素子２１，２２を切換えて、内部のスプリッタ２と外部スプリッタ７とを自動的に行うために、電話部８４で通信速度を測定して判断する。すなわち、ＩＰ電話機８０は、ＡＤＳＬライン８を伝送される信号を周波数分波して、ＡＤＳＬモデム３とハンドセット５が接続される電話部８４とに割り当てる内部のスプリッタ２、外部スプリッタ用端子６、および電話部８４からの制御で内部スプリッタ／外部スプリッタを切換える切換スイッチ素子２１，２２を備える。
【００７４】
図１６は、電話部８４によるスプリッタの自動的な選択手順を示す。図１５のＩＰ電話機８０に外部スプリッタ７を接続した状態で、ステップｂ０の電源ＯＮによって手順が開始される。ステップｂ１では、内部のスプリッタ２を選択するように、電話部８４から信号を内部スプリッタ／外部スプリッタ切換えのための切換スイッチ素子２１，２２に送る。ステップｂ２では、電話部８４から、ＡＤＳＬモデム３、内部のスプリッタ２、およびＡＤＳＬライン接続端子１を通してＡＤＳＬライン８へ信号を送受信し、ＡＤＳＬ通信速度を測定する。次にステップｂ３で、外部スプリッタ７を選択するように、電話部８４から信号を内部スプリッタ／外部スプリッタ切換用の切換スイッチ素子２１，２２に送る。ステップｂ４では、電話部８４から、ＡＤＳＬモデム３、外部スプリッタ用端子６のＡＤＳＬ端子６ａ、および外部スプリッタ７を通してＡＤＳＬライン８へ信号を送受信し、ＡＤＳＬ通信速度を測定する。
【００７５】
次にステップｂ５で、内部のスプリッタ２と外部スプリッタ７とをそれぞれを使用した時のＡＤＳＬ通信速度を比較し、内部のスプリッタ２の方が速いのであれば、ステップｂ６で電話部８４は信号を内部スプリッタ／外部スプリッタ切換用の切換スイッチ素子２１，２２に送り、内部のスプリッタ２を選択する。発信時に発信先電話番号に基づいて、一般電話回線で発呼する場合は、電話部８４から内部のスプリッタ２、およびＡＤＳＬライン接続端子１を通してＡＤＳＬライン８へ信号が接続され、ＡＤＳＬ回線で発呼する場合は、電話部８４からＡＤＳＬモデム３、内部のスプリッタ２、およびＡＤＳＬライン接続端子１を通してＡＤＳＬライン８へ信号が接続される。逆に外部スプリッタ７の方が速いのであれば、ステップｂ７で、電話部８４は信号を内部スプリッタ／外部スプリッタ切換用の切換スイッチ素子２１，２２に送り、外部スプリッタ７を選択する。発信時に発信先電話番号に基づいて、一般電話回線で発呼する場合は、電話部８４から外部スプリッタ接続端子６の電話端子６ｂ、および外部スプリッタ７を通してＡＤＳＬライン８へ信号が接続され、ＡＤＳＬ回線で発呼する場合は、電話部８４からＡＤＳＬモデム３、外部スプリッタ接続端子６のＡＤＳＬ端子６ａ、および外部スプリッタ７を通してＡＤＳＬライン８へ信号が接続される。このような接続状態は、動作の一例であり、外部スプリッタ７を接続していない状態でも上記手段は可能である。
【００７６】
図１７は、本発明の実施の第８形態としてのＩＰ電話機９０の概略的な電気的構成を示す。本実施形態のＩＰ電話機９０では、切換スイッチ素子２１，２２を切換えて、内部のスプリッタ２と外部スプリッタ７とを、前回の切換え状態を記憶して置いて、記憶に従って切換えるために、電話部９４にメモリ９５を備える。電話部９４は、図６に示すような電話部４と同様な構成にすることができ、メモリ９５としてメモリ３９を使用することができる。なお、メモリ９５は、電源ＯＦＦとなっても記憶しているデータが消失しないような不揮発性のメモリを用いるか、データ保持用のバックアップ電源を備えるようにしておく。
【００７７】
ＩＰ電話機９０は、ＡＤＳＬライン８を伝送される信号を周波数分波してＡＤＳＬモデム３と、ハンドセット５が接続されメモリ９５を含む電話部９４とに割り当てる内部のスプリッタ２、外部スプリッタ用端子６、および電話部９４から制御することができ、内部スプリッタ／外部スプリッタを切換えるための切換スイッチ素子２１，２２を備える。
【００７８】
図１８は、ＩＰ電話機９０の電話部９４によるスプリッタの切換え手順を示す。図１８（ａ）はスプリッタの切換えのための制御手順、図１８（ｂ）はメモリ９５の設定のための手順をそれぞれ示す。ＩＰ電話機９０に外部スプリッタ７を接続している状態で、電源ＯＮ時に図１８（ａ）のステップｓ０から制御手順を開始し、ステップｓ１では、メモリ９５に記録されている前回使用のスプリッタが内部か外部かを参照し、結果が内部のスプリッタ２である場合は、ステップｓ２で電話部９４が信号を内部スプリッタ／外部スプリッタ切換用の切換スイッチ素子２１，２２に送り、内部のスプリッタ２を選択する。発信時に発信先電話番号に基づいて、一般電話回線で発呼する場合は、電話部９４から内部のスプリッタ２、およびＡＤＳＬライン接続端子１を通してＡＤＳＬライン８へ信号が接続され、ＡＤＳＬ回線で発呼する場合は、電話部９４からＡＤＳＬモデム３、内部のスプリッタ２、およびＡＤＳＬライン接続端子１を通してＡＤＳＬライン８へ信号が接続される。逆に結果が外部スプリッタ７である場合は、ステップｓ３で、電話部９４は信号を内部スプリッタ／外部スプリッタ切換用の切換スイッチ素子２１，２２に送り、外部スプリッタ７を選択する。発信時に発信先電話番号に基づいて、一般電話回線で発呼する場合は、電話部９４から外部スプリッタ用端子６の電話端子６ｂ、および外部スプリッタ７を通してＡＤＳＬライン８へ信号が接続され、ＡＤＳＬ回線で発呼する場合は、電話部９４からＡＤＳＬモデム３、外部スプリッタ用端子６のＡＤＳＬ端子６ａ、および外部スプリッタ７を通してＡＤＳＬライン８へ信号が接続される。
【００７９】
図１８（ｂ）のステップｓ１０からの設定手順は、スプリッタの内部と外部との切換についての設定が行われるときに開始される。本実施形態のスプリッタの切換えについての設定は、図１０や図１２の実施の形態のように、ユーザからの入力操作で変更したり、図１５の実施の形態のように、通信速度に応じて自動的に変更したりすることができる。ステップｓ１１では、設定される切換状態がメモリ９５に記憶されている内容と同じか否かを判断する。同じであると判断するときは、ステップｓ１２で、現在の設定のままとして、メモリ９５の内容はそのままとする。ステップｓ１１でメモリの内容と同じではないと判断するときは、ステップｓ１３でメモリに記憶されている切換状態を変更する。
【００８０】
このような切換動作の内容は一例であり、外部スプリッタ７を接続していない状態でも上記手段は可能である。
【００８１】
なお、以上で説明した実施の各形態のＩＰ電話機９，１０，２０，３０，７０，７５，８０，８５，９０は、電話部４，２４，７４，７８，８４，９４として電話機としての機能を内蔵しているけれども、ファクシミリ装置としての機能を内蔵させることもできる。電話機やファクシミリ装置は、従来からのＰＳＴＮで用いられる比較的低い周波数帯域の信号を扱う。これらの信号は、デジタル信号を含むことがあるけれども、ＡＤＳＬのような高速デジタル信号は対象外である。したがって、電話機やファクシミリ装置等を、高速のデジタル通信に対しては通信速度が低速となるアナログ通信手段とみなすことができる。また、電話機やファクシミリ装置としてのアナログ通信手段としての機能は内蔵しないで、図８に示す「増設電話」のような通信機端子を介して外部に接続する形態で、モデムやルータとして動作する通信装置であっても、本発明を同様に適用することができる。また、ＡＤＳＬについて説明しているけれども、同様な原理で高速データ通信を実現するｘＤＳＬにも本発明を適用することができるのはもちろんである。
【００８２】
図１９は、本発明の実施の第９形態としてのＩＰ電話機９９の概略的な電気的構成を示す。本実施形態のＩＰ電話機９９では、実施の第１〜第８形態で接続するＡＤＳＬライン８ではなく、ＣＡＴＶ（ＣＡｂｌｅ　ＴｅｌｅＶｉｓｉｏｎ）など、他の種類の通信回線ライン９８を通信回線接続端子９１に接続して、内部のスプリッタ９２または外部スプリッタ９７でアナログ信号とデジタル信号とを、周波数帯の違いに応じて分離する。アナログ信号に比較して、デジタル信号の方が高周波側となる。内蔵するモデム９３も、そのデジタル信号に適合させているものを使用する。なお、本実施形態のような他の通信回線ライン９８に接続する場合でも、実施の第２〜第８形態のように内蔵するスプリッタ９２と外部スプリッタ９７とを切換えるようにすることもできる。
【００８３】
【発明の効果】
以上のように本発明によれば、アナログ通信用の伝送線に高周波のデジタル信号を重畳してデジタル通信にも使用可能にする伝送システムで、内蔵されたスプリッタとデジタル信号を処理するサーバなどとの相性が悪いような場合でも、必要に応じて外部のスプリッタを使用することができ、どのサービス提供者のサーバでも本来のデジタル通信スピードにて接続することが可能となる。内蔵されているスプリッタで充分なデジタル通信が可能であれば、省スペース化や複雑なライン接続の省略が可能となる。
【００８４】
また本発明によれば、ｘＤＳＬ伝送システムでデジタル加入者線となっている電話通信用の加入者線を内蔵スプリッタに接続し、内蔵される電話通信機または通信端子を介して接続される外部の電話通信機でＶｏＩＰなどを用いるデジタル電話通信を行うことができる。高周波信号端子と低周波信号端子とを、外部のスプリッタで分離される高周波信号の伝送経路と電話通信用の低周波信号の伝送経路とにそれぞれ接続するようにすれば、外部のスプリッタを、内部のｘＤＳＬ用のモデムと、内部の電話通信機または外部の電話通信機とに、それぞれ接続することができる。
【００８５】
また本発明によれば、切換手段によって、内蔵スプリッタと外部のスプリッタとの切換えを、容易かつ確実に行うことができる。
【００８６】
また本発明によれば、高周波接続部材を高周波信号端子に装着して、高周波信号の伝送経路を内蔵スプリッタとモデムとの間で接続することが可能である。低周波接続部材を低周波信号端子に装着して、アナログ通信用の低周波信号の伝送経路を内蔵スプリッタとアナログ通信手段または通信機端子との間で接続することが可能である。高周波信号端子および低周波信号端子に、外部のスプリッタで分離される高周波信号の伝送経路およびアナログ通信用低周波信号の伝送経路をそれぞれ接続すれば、外部のスプリッタを使用することができる。
【００８７】
また本発明によれば、ユーザが表示手段に表示されるメニューを見ながら内蔵スプリッタを使用するか、外部のスプリッタを使用するかを入力操作し、スプリッタの切換えを行わせることができる。
【００８８】
また本発明によれば、内蔵スプリッタを使用する場合と外部のスプリッタを使用する場合とについてデジタル通信速度をそれぞれ取得し、取得したデジタル通信速度を表示して、ユーザがスプリッタを選択する判断資料として提供することができる。
【００８９】
また本発明によれば、内蔵スプリッタを使用するか、外部のスプリッタを使用するかを、予め設定される条件に従って判断し、スプリッタの切換えを自動的に行うことができる。
【００９０】
また本発明によれば、内蔵スプリッタを使用する場合と外部のスプリッタを使用する場合とについてデジタル通信速度をそれぞれ取得し、高速のデジタル通信が行えるようなスプリッタの切換えを自動的に行うことができる。
【００９１】
また本発明によれば、デジタル通信の際に、内蔵スプリッタを使用したか、外部のスプリッタを使用したかを、デジタル通信の終了後もメモリに記憶しておき、次にデジタル通信を行う際に、前回接続時に使用したスプリッタを最初から使用することができる。
【００９２】
また本発明によれば、発信先情報に基づいて、アナログ通信用低周波信号を用いて発呼するか、デジタル通信用の高周波信号を用いて発呼するかを判定して発呼するので、デジタル通信用の高周波信号を用いて発呼すると判定される場合、内蔵スプリッタと外部のスプリッタとのいずれかを用いて、高速かつ確実な信号の伝送を行うことができる。
【００９３】
すなわち、ｘＤＳＬ（デジタル加入者線）伝送システムなどのスプリッタとｘＤＳＬ用などのモデムを備えるスプリッタ内蔵ｘＤＳＬ対応端末ＩＰ電話機などのスプリッタ内蔵通信装置において、内蔵されたスプリッタとＩＳＰなどの相性にて、ｘＤＳＬ通信スピードのダウン、ｘＤＳＬ接続ができない等の事態が発生する課題を解決し、必要に応じて外部のスプリッタを使用すれば、どのＩＳＰでも本来のｘＤＳＬ通信スピードにて接続することが可能となる。
【図面の簡単な説明】
【図１】本発明の実施の第１形態としてのＩＰ電話機９の概略的な電気的構成を示すブロック図である。
【図２】本発明の実施の第２形態としてのＩＰ電話機１０の概略的な電気的構成を示すブロック図である。
【図３】本発明の実施の第３形態としてのＩＰ電話機２０の概略的な電気的構成を示すブロック図である。
【図４】本発明の実施の第４形態としてのＩＰ電話機３０の概略的な電気的構成を示すブロック図である。
【図５】図４のＩＰ電話機３０の外部スプリッタ用端子２６および内部／外部切換コネクタ２７，２８を用いて、内部のスプリッタ２と外部スプリッタ７とを切換える方法を示す図である。
【図６】図４の電話部４の電気的構成を示すブロック図である。
【図７】図４のＩＰ電話機３０で、正面側の傾斜した操作パネルに垂直な方向から見た外観を示す図である。
【図８】図４のＩＰ電話機３０で、背面側の傾斜した端子取付面に垂直な方向から見た外観を示す図である。
【図９】図４のＩＰ電話機３０の左側面図である。
【図１０】本発明の実施の第５形態としてのＩＰ電話機７０の概略的な電気的構成を示すブロック図である。
【図１１】図１０のＩＰ電話機７０でスプリッタを選択する際に、表示部７２で表示される選択表示の例を示す図である。
【図１２】本発明の実施の第６形態としてのＩＰ電話機７５の概略的な電気的構成を示すブロック図である。
【図１３】図１２のＩＰ電話機７５の電話部７８が通信速度を表示してユーザによるスプリッタ切換え操作を受ける手順を示すフローチャートである。
【図１４】図１２のＩＰ電話機７５でスプリッタを選択する際に、表示部７７で表示される選択表示の例を示す図である。
【図１５】本発明の実施の第７形態としてのＩＰ電話機８０の概略的な電気的構成を示すブロック図である。
【図１６】図１５のＩＰ電話機８０の電話部８４が通信速度を測定して、スプリッタ切換えを自動的に行う手順を示すフローチャートである。
【図１７】本発明の実施の第８形態としてのＩＰ電話機９０の概略的な電気的構成を示すブロック図である。
【図１８】図１７のＩＰ電話機９０の電話部９４がスプリッタの切換制御とメモリ９５への設定とを行う手順を示すフローチャートである。
【図１９】本発明の実施の第９形態としてのＩＰ電話機９９の概略的な電気的構成を示すブロック図である。
【図２０】従来のスプリッタ内蔵ＡＤＳＬ対応端末としてのＩＰ電話機の電気的構成を示すブロック図である。
【図２１】先行技術で開示されているスプリッタの部分的な電気的構成を示す電気回路図である。
【符号の説明】
１　ＡＤＳＬライン接続端子
２，９２　スプリッタ
３　ＡＤＳＬモデム
４，２４，７４，７８，８４，９４　電話部
６，２６　外部スプリッタ用端子
６ａ，２６ａ　ＡＤＳＬ端子
６ｂ，２６ｂ　電話端子
７，９７　外部スプリッタ
８　ＡＤＳＬライン
９，１０，２０，３０，７０，７５，８０，９０，９９　ＩＰ電話機
１１，１２　切換スイッチ
２１，２２　切換スイッチ素子
２７，２８　内部／外部切換コネクタ
２９ａ，２９ｂ　接続用コネクタ
４０，７２，７７　表示部
４４　操作パネル
６０　制御部
７１，７６　操作部
９１　通信回線接続端子
９３　モデム
９８　通信回線ライン
【図１】
2004135175.tif 000003
【図２】
2004135175.tif 000004
【図３】
2004135175.tif 000005
【図４】
2004135175.tif 000006
【図５】
2004135175.tif 000007
【図６】
2004135175.tif 000008
【図７】
2004135175.tif 000009
【図８】
2004135175.tif 000010
【図９】
2004135175.tif 000011
【図１０】
2004135175.tif 000012
【図１１】
2004135175.tif 000013
【図１２】
2004135175.tif 000014
【図１３】
2004135175.tif 000015
【図１４】
2004135175.tif 000016
【図１５】
2004135175.tif 000017
【図１６】
2004135175.tif 000018
【図１７】
2004135175.tif 000019
【図１８】
2004135175.tif 000020
【図１９】
2004135175.tif 000021
【図２０】
2004135175.tif 000022
【図２１】
2004135175.tif 000023